(57)【要約】【課題】集水機能を有し、水路勾配を自由に設定可能な暗渠型側溝を容易に構築することができ、資材管理の簡略化、側溝構築作業の効率化も図ることのできる暗渠型側溝用ブロックを提供する。【解決手段】暗渠側溝用ブロック１は、四角筒形状の本体部材２と、同じく四角筒形状の集水部材３とで構成され、本体部材２の天板２ａの中央部分に形成した四角形の開口部２ｂに集水部材３の下方の開口端部３ｂが連通して接続され、集水部材３の上方の開口端部３ａにグレーチング４を装着する。集水部材３の開口端部３ｂの四隅部分にその軸方向に出入りするボルト５が配置され、開口端部３ｂ寄りの外周面には作業口６が開設されている。本体部材２の開口部２ｂの四隅付近にはボルト５が挿入離脱自在な先細り形状の有底孔７が開設されている。【選択図】        図１
2004250993.tif 000002
【特許請求の範囲】
【請求項１】
両端が開口した筒状の本体部材と、前記本体部材の一部に形成した開口部に片方の開口端部を連通して接続される筒状の集水部材とを備え、前記本体部材に対する前記集水部材の接続間隔および接続角度を規定するための接続手段を設けたことを特徴とする暗渠型側溝用ブロック。
【請求項２】
前記接続手段を、前記本体部材の開口部と前記集水部材の開口端部との対向部分に設けた請求項１記載の暗渠型側溝用ブロック。
【請求項３】
前記接続手段として、前記本体部材の開口部と前記集水部材の開口端部との間に伸縮可能に介在するねじ機構を設けた請求項２記載の暗渠型側溝用ブロック。
【請求項４】
前記ねじ機構を、前記集水部材、前記本体部材の少なくとも一方に設けた請求項３記載の暗渠型側溝用ブロック。
【請求項５】
前記本体部材と前記集水部材とが前記ねじ機構により螺着可能である請求項３または４記載の暗渠型側溝用ブロック。
【発明の詳細な説明】
【０００１】
【発明の属する技術分野】
本発明は、降雨水などを排水するため道路の側方部分に設置される暗渠型側溝を構築するための側溝用ブロックに関する。
【０００２】
【従来の技術】
道路の側方部分に設置される暗渠型側溝においては、降雨水などを効率良く流下させるため、あるいは設置現場の地形状況などに応じて、いわゆる水路勾配が設定されることがある。このような水路勾配を自由に設定できる暗渠型側溝用ブロックとして、天板の一部に開口部を設けるとともに底板をなくした逆Ｕ字形状のもの（例えば、特許文献１参照。）、あるいは底板のない逆Ｕ字形状の上部ユニットと略楔形状の下部ユニットとを組み合わせたもの（例えば、特許文献２参照。）などがある。
【０００３】
特許文献１に記載された側溝用ブロックを用いて側溝を構築する場合、図９に示すように、掘削した地盤にコンクリートを現場打設して階段状の基礎部９０を形成し、この基礎部９０の上に側溝用ブロック９１ａ〜９１ｅをそれぞれの開口底面を下に向けて載置した後、側溝用ブロック９１ａ〜９１ｅの開口部９２から底面に向かってコンクリートを打設し、勾配のついた底面部９３を形成する。
【０００４】
一方、特許文献２に記載された側溝用ブロックを用いて側溝を構築する場合、例えば、特許文献２の第７図に示されているように、掘削した地盤に傾斜状態に形成された基礎部上に、傾斜角度に合致する形状の下部ユニットをそれぞれの開口面を上に向けて載置し、各下部ユニット上に、上部ユニットをその開口面を下に向けて被せるように載置する。
【０００５】
【特許文献１】
特開平８−１８９０７１号公報（第３−４頁、第１１図）
【特許文献２】
特開平１１−１４８１６７号公報（第７−１０頁、第１図、第７図）
【０００６】
【発明が解決しようとする課題】
特許文献１に記載されている側溝用ブロックの場合、構築現場でコンクリート打設作業を行うことにより、階段状の基礎部９０および勾配のついた底面部９３を形成しなければならない。このため、コンクリート打設作業などに多くの時間と労力が費やされ、工期遅延の要因となることがある。
【０００７】
また、図９（ａ）で示したように、勾配に合わせて高さの異なる側溝用ブロック９１ａ〜９１ｅを用いなければならない。このため、複数種類の側溝用ブロック９１ａ〜９１ｅを予め製作しておく必要があり、資材管理の煩雑化を招くだけでなく、搬入・設置作業の複雑化により作業効率を悪化させることがある。
【０００８】
一方、特許文献２に記載された側溝用ブロックの場合、階段状の基礎部９０および勾配のついた底面部９３を、施工現場でのコンクリート打設作業によって形成する必要がないので、作業の簡略化を図ることはできる。しかしながら、勾配に合わせて形状の異なる複数種類の下部ユニットを予め製作しておく必要があるため、特許文献１に記載の側溝用ブロックの場合と同様、資材管理の煩雑化、作業効率の悪化を招いている。
【０００９】
本発明が解決しようとする課題は、集水機能を有し、水路勾配を自由に設定可能な暗渠型側溝を容易に構築することができ、資材管理の簡略化、側溝構築作業の効率化も図ることのできる暗渠型側溝用ブロックを提供することにある。
【００１０】
【課題を解決するための手段】
本発明の側溝用ブロックは、両端が開口した筒状の本体部材と、この本体部材の一部に形成した開口部に片方の開口端部を連通して接続される筒状の集水部材とを備え、本体部材に対する集水部材の接続間隔および接続角度を規定するための接続手段を設けたことを特徴とする。
【００１１】
水路勾配に合わせて地盤に形成された傾斜基礎部上に開口部を上に向けた本体部材を載置し、その開口部に筒状の集水部材を適切な間隔をおいて接続し、集水部材の軸方向が鉛直方向となるように接続手段で規定する。これにより、傾斜した本体部材に、鉛直方向に起立した集水部材が連通して接続され、集水部材の他方の開口部が上方で開口した倒立イ字状態となる。このため、集水部材の上方の開口部を地面付近に位置させることで集水機能をもたせることができる。この場合、接続手段で接続間隔を規定することによって本体部材に対する集水部材の配置高さを自由に設定することができる。また、接続手段で接続角度を規定することによって水路勾配を自由に設定することができる。
【００１２】
したがって、集水機能を有していない一般的な筒状の側溝用ブロックと本発明の暗渠型側溝用ブロックとを組み合わせて配置することにより、すなわち、一般の側溝用ブロックを傾斜基礎部上に配列しながら暗渠型側溝用ブロックを適切な間隔ごとに配置することにより、所定間隔ごとに集水開口部が配置された状態となるため、集水機能を有する勾配付きの暗渠型側溝を容易に構築することができる。
【００１３】
この場合、現場の状況により、本体部材の配置位置から地面までの距離に対応した長さの集水部材を用いる必要がある。そこで、長さのみ異なる複数種類の集水部材を予め製作しておけば、本体部材に対する接続間隔および接続角度を連結手段で規定することによって様々な状況に対応可能であるため、資材管理の簡略化、側溝構築作業の効率化を図ることができる。
【００１４】
ここで、前記接続手段を、本体部材の開口部と集水部材の開口端部との対向部分に設けることが望ましい。これにより、本体部材と集水部材とを接続する場合に、その接続部分において接続位置および接続角度を設定することが可能となるため、作業性が良好となり、作業効率も向上する。
【００１５】
また、前記接続手段として、本体部材の開口部と集水部材の開口端部との間に伸縮可能に介在するねじ機構を設けることが望ましい。このようなねじ機構を設ければ、ねじを回転させるという簡単な作業で接続間隔および接続角度を設定することが可能となるため、作業性および作業効率がさらに向上する。
【００１６】
この場合、前記ねじ機構を、集水部材、本体部材の少なくとも一方に設ければ、集水部材と本体部材との接続作業の際に、ねじ機構を搬入する手間が省け、作業中にねじ機構が脱落するおそれもなくなるので、角度設定作業がさらに容易となる。
【００１７】
さらに、本体部材と集水部材とを前記ねじ機構により螺着可能とすれば、本体部材に集水部材を確実に接続することができるようになるので、工事中の振動などによって接続間隔および接続角度が変動するのを防止することができる。
【００１８】
【発明の実施の形態】
図１は本発明の第１実施形態である暗渠型側溝ブロックを示す分解斜視図、図２は図１に示す暗渠型側溝ブロックなどを用いて構築した側溝構造を示す部分側面図、図３は図２の一部拡大図、図４は図３における一部省略Ａ−Ａ線断面図、図５は図４の一部拡大図である。
【００１９】
図１に示すように、本実施形態の暗渠側溝用ブロック１は、両端が開口した四角筒形状の本体部材２と、同じく両端が開口した四角筒形状の集水部材３とで構成され、本体部材２の天板２ａの中央部分に形成された四角形の開口部２ｂに集水部材３の下方の開口端部３ｂが連通して接続され、集水部材３の上方の開口端部３ａにはグレーチング４が着脱可能に装着される。
【００２０】
集水部材３の開口端部３ｂの四隅部分にはそれぞれ、集水部材３の軸方向に出入りするボルト５が配置され、開口端部３ｂ寄りの外周面には、ボルト５の頭部５ａを回転させるための作業口６が開設されている。本体部材２の開口部２ｂの四隅付近には４本のボルト５をそれぞれ回動させることなく挿入離脱自在な先細り形状の有底孔７が開設されている。
【００２１】
集水部材３の開口端部３ｂから突出させた４本のボルト５をそれぞれ本体部材２の有底孔７に挿入することにより、本体部材２の開口部２ｂと集水部材３の開口端部３ｂとを接続することができる。このとき、４本のボルト５が、本体部材２に対する集水部材３の接続間隔および接続角度を規定するための接続手段の一つであるねじ機構として機能する。
【００２２】
図２〜図４に示すように、水路勾配に合わせて地盤Ｇにコンクリートを打設して傾斜状に形成された基礎部８上に、開口部２ｂを上に向けた本体部材３を載置し、その開口部２ｂに集水部材３を接続する。そして、本体部材３の開口部３ａが地面ＧＬ付近に位置するとともに、集水部材３の軸方向が鉛直方向となるように、４本のボルト５の有底孔７への挿入深さを調節して両者の接続間隔および接続角度を規定する。これにより、勾配に沿って傾斜した本体部材２に鉛直方向に起立した状態で集水部材３が接続され、集水部材３の上方の開口部３ａが上方の地面ＧＬ付近で開口した倒立イ字状態となるため、開口部３ａを通じて地面ＧＬ上の降雨水などを集水する機能をもたせることができる。
【００２３】
この場合、前述したように、有底孔７に対する４本のボルト５のそれぞれの挿入深さを変えることによって、本体部材２に対する集水部材３の接続間隔および接続角度を変えることができるので、開口部３ａの高さ位置および水路勾配を自由に設定することができる。
【００２４】
したがって、図２で示したように、集水機能を有していない一般的な筒状の側溝用ブロック９を基礎部８上に配列しながら、集水機能を有する暗渠型側溝用ブロック１を適切な間隔ごとに配置していくことにより、所定間隔ごとに集水開口部３ａを有する勾配付きの暗渠型側溝１０を構築することができる。
【００２５】
集水部材３の鉛直姿勢確保あるいは集水部材３の開口端部３ａと地面ＧＬとの位置合わせを行う目的で、本体部材２と集水部材３との接続間隔および接続角度を調節した場合、図３〜図５に示すように、本体部材２の開口部２ｂと集水部材３の開口端部３ｂとの接続部分に隙間が生じることがある。しかし、この隙間はモルタル１１を充填することによって閉塞するので支障はなく、モルタル１１を充填することで両者を強固に固着することができる。また、調節作業完了後の作業口６内にもモルタル１１を充填して閉塞するため、施工後、振動などでボルト５が回転することもない。
【００２６】
暗渠型側溝用ブロック１を用いて暗渠型側溝１０などを構築する場合、施工状況に応じて本体部材２の配置位置から地面ＧＬまでの距離に応じた長さの集水部材３を用いる必要がある。そこで、長さのみ異なる複数種類の集水部材３を予め製作しておけば、有底孔７に対する４本のボルト５のそれぞれの挿入深さを変えて接続間隔を微調整することで様々な状況に対応可能である。このため、資材管理の簡略化、側溝構築作業の効率化を図ることができる。また、接続間隔および接続角度の調整完了後、本体部材２の開口部２ｂと集水部材３の開口端部３ｂとの間に生じる隙間は、前述したように、モルタル１１の充填によって完全に閉塞できるので、施工後に水漏れなどが生じることもない。
【００２７】
本体部材２と集水部材３との接続間隔および接続角度を規定する接続手段であるねじ機構を構成するボルト５などは、本体部材２の開口部２ｂと集水部材３の開口端部３ｂとの対向部分に設けている。このため、本体部材２と集水部材３とを接続する際に、その接続部分において、それぞれの作業口６から工具を差し込んでボルト５の頭部５ａ回転させることによって接続間隔および接続角度の設定を行うことができる。
【００２８】
このように、４本のボルト５を、本体部材２の開口部２ｂと集水部材３の開口端部３ｂとの間に伸縮可能に介在させることにより、それぞれのボルト５の頭部をそれぞれ回転させるという極めて簡単な作業で本体部材２と集水部材３との接続間隔および接続角度を正確に設定することができる。このため、接続作業の作業性は極めて良好であり、作業効率の向上を図ることができる。また、ボルト５などは集水部材３の方に設けているため、集水部材３と本体部材２との接続作業の際にねじ機構などを新たに搬入する手間がかからず、作業中にボルト５などが脱落するおそれもないので、接続角度および接続角度の設定作業は容易である。
【００２９】
また、ボルト５が挿入離脱自在な有底孔７は、上面開口部の内径が最大であって底部７ａに近づくほど徐々に縮径した先細り形状である。このため、接続作業の際、ボルト５の先端部５ｂを有底孔７内へ容易に導入することができ、導入されたボルト５の先端部５ｂは有底孔７の底部７ｂに当接することによって確実に保持される。なお、有底孔７の代わりにボルト５が螺着可能な雌ねじ孔を設けることも可能である。このような雌ねじ孔を設ければ、本体部材２と集水部材３とはボルト５と雌ねじ孔とにより確実に接続（螺着）されるので、工事中の振動などによって接続間隔および接続角度が変動するのを防止することができる。
【００３０】
次に、図６〜図８を参照して、本発明の第２、第３実施形態である暗渠型側溝用ブロックなどについて説明する。なお、図６〜図８に示す暗渠型側溝用ブロックなどにおいて第１実施形態の暗渠型側溝用ブロックなどと同様の機能を発揮する部分については図１〜図５と同じ符号を付して説明を省略する。
【００３１】
図６に示す第２実施形態の暗渠型側溝用ブロック２１は、円筒形の水路２１ａを有する筒状の本体部材２２と、本体部材２２の開口部２２ｂに開口端部２３ｂを連通して接続される四角筒形状の集水部材２３とで構成されている。本体部材２２の正面側には凹状連結部２２ｘが形成され、背面側には凸状連結部２２ｙが形成されている。
【００３２】
図７に示す第３実施形態の暗渠型側溝用ブロック３１は、円筒形の水路３１ａを有する筒状の本体部材３２と、本体部材３２の開口部３２ｂに開口端部３３ｂを連通して接続される軸方向長さが極めて短い四角筒形状の集水部材３３とで構成されている。本体部材３２の正面側には凹状連結部３２ｘが形成され、背面側には凸状連結部３２ｙが形成されている。
【００３３】
図８に示す側溝用ブロック４１は、円筒状の水路４１ａ有し、両端部のみが開口した筒状の一般的な側溝用ブロックであり、正面側に凹状接続部４１ｘが形成され、背面側に凸状接続部４１ｙが形成されている。
【００３４】
したがって、図２で示したように、側溝用ブロック４１を配列しながら地面ＧＬからの深さに応じて暗渠型側溝用ブロック２１，３１を適切な間隔で配置していくことにより、図２の暗渠型側溝１０と同様の暗渠型側溝を構築することができる。この場合、暗渠型側溝用ブロック２１，３１および側溝用ブロック４１の凸状連結部２２ｙ，３２ｙ，４１ｙと、他の側溝用ブロックの凹状連結部２２ｘ，３２ｘ，４１ｘとは互いに密着状態に嵌合する形状となっている。
【００３５】
したがって、凸状連結部２２ｙ，３２ｙ，４１ｙを凹状連結部２２ｘ，３２ｘ，４１ｘに嵌入することによってブロック同士を確実に連結することができるため、水漏れなどのおそれのない暗渠型側溝を構築することができる。また、凸状連結部２２ｙ，３２ｙ，４１ｙを凹状連結部２２ｘ，３２ｘ，４１ｘに嵌入するだけで互いの軸心が一致するため、連結作業時における位置合わせも容易かつ正確に行うことができる。
【００３６】
【発明の効果】
本発明により、以下に示す効果を奏する。
【００３７】
（１）両端が開口した筒状の本体部材と、この本体部材の一部に形成された開口部に片方の開口端部を連通して接続される筒状の集水部材とを備え、本体部材に対する集水部材の接続間隔および接続角度を規定するための接続手段を設けたことにより、集水機能を有し、水路勾配を自由に設定可能な暗渠型側溝を容易に構築することができ、資材管理の簡略化、側溝構築作業の効率化をも図ることができる。
【００３８】
（２）前記接続手段を、本体部材の開口部と集水部材の開口端部との対向部分に設ければ、本体部材と集水部材との接続時に、その接続部分で角度設定を行なうことができるため、作業性が良好となり、作業効率も向上する。
【００３９】
（３）前記接続手段として、本体部材の開口部と集水部材の開口端部との間に伸縮可能に介在するねじ機構を設ければ、ねじ回転という簡単な作業で接続間隔および接続角度を設定可能となるため、作業性および作業効率がさらに向上する。
【００４０】
（４）前記ねじ機構を、集水部材、本体部材の少なくとも一方に設ければ、両者の接続作業の際にねじ機構を搬入する手間が省け、ねじ機構が脱落するおそれもなくなるので、角度設定作業がさらに容易となる。
【００４１】
（５）本体部材と集水部材とを前記ねじ機構により螺着可能とすれば、本体部材に集水部材が確実に接続できるようになるので、工事中の振動などによって接続間隔および接続角度が変動するのを防止することができる。
【図面の簡単な説明】
【図１】本発明の第１実施形態である側溝ブロックを示す分解斜視図である。
【図２】図１に示す側溝ブロックなどを用いて構築した側溝構造を示す部分側面図である。
【図３】図２の一部拡大図である。
【図４】図３における一部省略Ａ−Ａ線断面図である。
【図５】図３における一部省略Ｂ−Ｂ線断面図である。
【図６】（ａ）は本発明の第２実施形態である側溝ブロックを示す側面図であり、（ｂ）は前記（ａ）に示す側溝ブロックの正面図であり、（ｃ）は前記（ａ）におけるＢ−Ｂ線断面図である。
【図７】（ａ）は本発明の第３実施形態である側溝ブロックを示す側面図であり、（ｂ）は前記（ａ）に示す側溝ブロックの正面図であり、（ｃ）は前記（ａ）におけるＣ−Ｃ線断面図である。
【図８】（ａ）はその他の実施の形態である側溝ブロックを示す側面図であり、（ｂ）は前記（ａ）におけるＤ−Ｄ線断面図であり、（ｃ）は前記（ａ）に示す側溝ブロックの正面図であり、（ｄ）は前記（ａ）に示す側溝ブロックの背面図である。
【図９】（ａ）は従来の側溝構造を示す部分側面図であり、（ｂ）は前記（ａ）におけるＥ−Ｅ線断面図である。
【符号の説明】
１，２１，３１  暗渠側溝用ブロック
２，２２，３２  本体部材
２ａ  天板
２ｂ  開口部
３，２３，３３  集水部材
３ａ，３ｂ  開口端部
４  グレーチング
５  ボルト
５ａ  頭部
５ｂ  先端部
６  作業口
７  有底孔
７ａ  底部
８  基礎部
９，４１  側溝用ブロック
１０  暗渠型側溝
１１  モルタル
２２ｘ，３２ｘ，４１ｘ  凹状連結部
２２ｙ，３２ｙ，４１ｙ  凸状連結部
Ｇ  地盤
ＧＬ  地面
【図１】
2004250993.tif 000003
【図２】
2004250993.tif 000004
【図３】
2004250993.tif 000005
【図４】
2004250993.tif 000006
【図５】
2004250993.tif 000007
【図６】
2004250993.tif 000008
【図７】
2004250993.tif 000009
【図８】
2004250993.tif 000010
【図９】
2004250993.tif 000011